(57)【特許請求の範囲】
【請求項１】
開口を形成する受枠部に載置される蓋体の裏側に設けられる施錠装置であって、
支軸回りに回動自在なフック部が設けられ、該フック部の回動を支軸回りの一方向で規制してフック部が受枠部に下方から当接し得る施錠姿勢に保持するストッパを有し、該フック部は、蓋体を受枠部に上方から載置する際に受枠部に上方から当接することで支軸回りに他方向に回動し、且つ受枠部に蓋体を載置した状態では受枠部から外れてその自重により支軸回りに一方向に回動して施錠姿勢となるものであり、
蓋体を受枠部から上方に向けて取外す際に、フック部を支軸回りに他方向へ回動操作して受枠部から回避した解除姿勢とするための操作部が設けられ、
蓋体を受枠部に載置する際のフック部の回動範囲は、支軸の上下の径方向から支軸回りの他方側に至らないよう規制されるよう構成されていることを特徴とする施錠装置。
【請求項２】
支軸から径方向へ突出する方向に設けられたバランサ機能を有する突起をフック部とは別に有して、該突起は、フック部に対して支軸の周方向に離間して配置されており、フック部を解除姿勢として蓋体を持上げた際に、受枠部の下面に当接するものであり、該当接によりフック部が支軸回りの一方向に回動する構成であることを特徴とする請求項１記載の施錠装置。
【請求項３】
操作部の回動操作によってフック部の解除姿勢を保持する保持手段が設けられていることを特徴とする請求項１または請求項２記載の施錠装置。
【請求項４】
保持手段として、フック部の回動を支軸回りの他方向で規制してフック部が受枠部の下方から回避した解除姿勢を保持するストッパが支軸の上下の径方向から支軸回りの他方側に設けられ、該ストッパの位置とフック部の自重による支軸回りの回転力とが、蓋体を受枠部から持上げる際に、操作部の回転操作によるフック部の解除姿勢を保持するよう関係付けられた構成とされていることを特徴とする請求項３記載の施錠装置。
【請求項５】
操作部は支軸の延長上に設けられた杆体であることを特徴とする請求項１ないし請求項４の何れかに記載の施錠装置。
【請求項６】
開口を形成するよう設けられるとともに開口の内方に向けて突出する受枠部に、蓋体を載置した際に受枠部を用いて施錠する施錠装置であって、
支軸回りに回動自在で支軸の径方向に突出するフック部が蓋体の裏面側に設けられるとともに、フック部の回動範囲を規制するストッパが設けられ、フック部は付勢手段によって支軸回りの一方向に付勢力を付与されており、該フック部は、蓋体を受枠部に上方から載置する際に受枠部に当接することで付勢力に抗してストッパの規制が解除される他方向に支軸回りに回動するものであり、且つ受枠部に蓋体を載置した状態では付勢力によって一方向に回動しストッパで回動を規制されて受枠部に下方から係止し得るものであり、蓋体を受枠部から上方に向けて取外す際に、前記付勢力に抗してフック部を支軸回りに他方向に回動操作して受枠部から回避した解除姿勢とするための操作部が設けられ、
操作部は支軸の延長上に設けられた杆体であることを特徴とする施錠装置。
【請求項７】
支軸から径方向へ突出する方向に設けられた突起をフック部とは別に有して、該突起は、フック部に対して支軸の周方向に離間して配置されており、フック部を解除姿勢として蓋体を持上げた際に、受枠部の下面に当接するものであり、該当接によりフック部が支軸回りの一方向に回動する構成であることを特徴とする請求項６記載の施錠装置。
【請求項８】
操作部の回動操作によってフック部の解除姿勢を保持する保持手段が設けられていることを特徴とする請求項６または請求項７記載の施錠装置。
【請求項９】
操作部の操作によってフック部を支軸回りに他方向に回動操作した際に、突起が受枠部に下方から当接可能な位置となる状態にフック部を弾性的に保持する弾性保持手段が設けられ、該弾性保持手段は、突起が受枠部に下方から当接することでその弾性が解除されて付勢手段によってフック部が解除姿勢となる方向へ支軸回りに回動させる構成とされていることを特徴とする請求項７記載の施錠装置。
【請求項１０】
杆体は支軸の延長上に一体に設けられていることを特徴とする請求項６ないし請求項８の何れかに記載の施錠装置。
【発明の詳細な説明】
【技術分野】
【０００１】
本発明は、例えば、施錠による防犯機能が必要な地下構造物用鉄蓋（電線共同溝用蓋体等）の施錠装置に関する。
【背景技術】
【０００２】
従来この種の施錠装置は、ひとつの細長い開口を形成する枠に複数枚の蓋を列状に嵌め込んで開口を閉じ、各蓋毎に二箇所、つまり蓋それぞれに二箇所の錠部を設けて施錠するようにしている。錠部は防犯対策のために、近年は、防犯性の高いシリンダ錠を採用する傾向にある（例えば、特許文献１参照）。
【０００３】
【特許文献１】特開平１１−２００３９４号公報
【発明の開示】
【発明が解決しようとする課題】
【０００４】
従来の共同溝用蓋体では、その錠部は、各蓋体に二個必要であるから、高価な錠部を使用すると装置のコストが高くなる。また、錠部の数が多くなると、メンテナンス費用も増加するという課題がある。
【０００５】
本発明は上記課題に鑑み、シリンダ錠を用いる場合に比べてコストを抑えられ、且つメンテナンス費用も抑えられる施錠装置の提供を課題とする。
【課題を解決するための手段】
【０００６】
開口を形成する受枠部に載置される蓋体の裏側に設けられ、支軸回りに回動自在なフック部が設けられ、該フック部の回動を支軸回りの一方向で規制してフック部が受枠部に下方から当接し得る施錠姿勢に保持するストッパを有し、該フック部は、蓋体を受枠部に上方から載置する際に受枠部に上方から当接することで支軸回りに他方向に回動し、且つ受枠部に蓋体を載置した状態では受枠部から外れてその自重により支軸回りに一方向に回動して施錠姿勢となるものであり、蓋体を受枠部から上方に向けて取外す際に、フック部を支軸回りに他方向へ回動操作して受枠部から回避した解除姿勢とするための操作部が設けられ、蓋体を受枠部に載置する際のフック部の回動範囲は、支軸の上下の径方向から支軸回りの他方側に至らないよう規制されるよう構成されていることを特徴としている。
【０００７】
上記構成によれば、蓋体を受枠部に上方から載置する際にフック部が受枠部に当接することで他方向に支軸回りに回動し、受枠部に蓋体を載置した状態では受枠部から外れてその自重により支軸回りに回動して、フック部が受枠部に下方から当接し得る施錠姿勢となり、蓋体を受枠部から持上げて取外すことができなくなる。
【０００８】
蓋体を受枠部から上方に向けて取外す際には、操作部を、フック部を支軸回りに他方向へ回動操作して受枠部から回避した解除姿勢とすることにより、蓋体を持上げることで受枠部から取外すことができる。
【００１０】
上記構成によれば、蓋体を受枠部に載置する際に、フック部が必要以上に回転して解除姿勢になることが防止される。
【００１１】
本発明の施錠装置では、操作部の回動操作によってフック部の解除姿勢を保持する保持手段が設けられていることを特徴としている。
【００１２】
この構成によれば、蓋体を取外す際に、保持手段によってフック部の解除姿勢が保持されているから、蓋体を持上げるという作業だけで、蓋体を取外すことができるから、蓋体の取外し作業が楽になる。
【００１３】
本発明の施錠装置は、保持手段として、フック部の回動を支軸回りの他方向で規制してフック部が受枠部の下方から回避した解除姿勢を保持するストッパが支軸の上下の径方向から支軸回りの他方側に設けられ、該ストッパの位置とフック部の自重による支軸回りの回転力とが、蓋体を受枠部から持上げる際に、操作部の回転操作によるフック部の解除姿勢を保持するよう関係付けられた構成とされていることを特徴としている。
【００１４】
上記構成によれば、ストッパ、バランサ、フック部の関係付けにより、施錠装置におけるバランスの取り方が容易になる。
【００１５】
本発明の施錠装置は、支軸から径方向へ突出する方向に設けられたバランサ機能を有する突起をフック部とは別に有して、該突起は、フック部に対して支軸の周方向に離間して配置されており、フック部を解除姿勢として蓋体を持上げた際に、受枠部の下面に当接するものであり、該当接によりフック部が支軸回りの一方向に回動する構成であることを特徴としている。
【００１６】
上記構成によれば、フック部を解除姿勢として蓋体を持上げた際に、フック部とは別で支軸から径方向へ突出する方向に設けられた突起が受枠部の下面に当接し、フック部が支軸回りの一方向に回動するようになる。
【００１７】
本発明の施錠装置は、開口を形成するよう設けられるとともに開口の内方に向けて突出する受枠部に、蓋体を載置した際に受枠部を用いて施錠する施錠装置であって、支軸回りに回動自在で支軸の径方向に突出するフック部が蓋体の裏面側に設けられるとともに、フック部の回動範囲を規制するストッパが設けられ、フック部は付勢手段によって支軸回りの一方向に付勢力を付与されており、該フック部は、蓋体を受枠部に上方から載置する際に受枠部に当接することで付勢力に抗してストッパの規制が解除される他方向に支軸回りに回動するものであり、且つ受枠部に蓋体を載置した状態では付勢力によって一方向に回動しストッパで回動を規制されて受枠部に下方から係止し得るものであり、蓋体を受枠部から上方に向けて取外す際に、前記付勢力に抗してフック部を支軸回りに他方向に回動操作して受枠部から回避した解除姿勢とするための操作部が設けられ、操作部は支軸の延長上に設けられた杆体であることを特徴としている。
【００１８】
上記構成によれば、蓋体を受枠部に上方から載置する際に、フック部は受枠部に当接することで付勢力に抗してストッパの規制が解除される他方向に支軸回りに回動するから、フック部は受枠部を回避して蓋体を受枠部に載置可能となり、受枠部に蓋体を載置した状態では、付勢力によってフック部は一方向に回動しストッパで回動を規制され、蓋体を上方に移動させるように受枠部から取外そうとしても、フック部が受枠部に下方から係止するようになるから、蓋体を取外すことができない。
【００１９】
蓋体を受枠部から取外そうとする場合は、フック部に対する付勢力に抗してフック部を支軸回りに一方向に回動操作するよう操作部を操作してフック部を受枠部から回避させると、フック部の受枠部への係止が解除されて、蓋体を受枠部から取外すのに邪魔するものがなくなるから、蓋体を受枠部から取外すことが可能になる。このように、簡単な構成で蓋体に施錠が可能になるから、施錠装置としてシリンダ錠を用いる場合に比べてコストを抑えられ、且つメンテナンス費用も抑えられる。なお、この構成の場合、フック部を支軸回りに一方向に回動操作する方向に付勢力を付与するものとして、バネ等の弾性体が考えられる。
【００２０】
本発明の施錠装置は、操作部の回動操作によってフック部の解除姿勢を保持する保持手段が設けられていることを特徴としている。
【００２１】
このような保持手段を設けることにより、蓋体の取外しを容易に行うことが可能となる。
【００２２】
本発明の施錠装置は、開口を形成する受枠部に載置される蓋体の裏側に設けられ、支軸回りに回動自在なフック部が設けられ、該フック部の回動を支軸回りの一方向で規制してフック部が受枠部に下方から当接し得る施錠姿勢に保持するストッパを有し、該フック部は、蓋体を受枠部に上方から載置する際に受枠部に上方から当接することで支軸回りに他方向に回動し、且つ受枠部に蓋体を載置した状態では受枠部から外れてその自重により支軸回りに一方向に回動して施錠姿勢となるものであり、蓋体を受枠部から上方に向けて取外す際に、フック部を支軸回りに他方向へ回動操作して受枠部から回避した解除姿勢とするための操作部が設けられ、操作部は支軸の延長上に設けられた杆体であることを特徴としている。
【００２３】
上記構成によれば、杆体を操作して容易にフック部を解除姿勢とすることが可能となる。
【００２４】
杆体は支軸の延長上に一体に設けられていることによれば、簡単な構成で、支軸を回動することが可能となる。
【００２５】
本発明の施錠装置は、支軸から径方向へ突出する方向に設けられた突起をフック部とは別に有して、該突起は、フック部に対して支軸の周方向に離間して配置されており、フック部を解除姿勢として蓋体を持上げた際に、受枠部の下面に当接するものであり、該当接によりフック部が支軸回りの一方向に回動する構成であることを特徴としている。
【００２６】
上記構成によれば、フック部を解除姿勢として蓋体を持上げた際に、フック部とは別で支軸から径方向へ突出する方向に設けられた突起が受枠部の下面に当接し、フック部が支軸回りの一方向に回動するようになる。
【００２７】
本発明の施錠装置は、操作部の操作によってフック部を支軸回りに他方向に回動操作した際に、突起が受枠部に下方から当接可能な位置となる状態にフック部を弾性的に保持する弾性保持手段が設けられ、該弾性保持手段は、突起が受枠部に下方から当接することでその弾性が解除されて付勢手段によってフック部が解除姿勢となる方向へ支軸回りに回動させる構成とされていることを特徴としている。
【００２８】
上記構成において、操作部を操作してフック部を支軸回りに他方向に回動操作すると、突起が受枠部に下方から当接可能な位置となって、しかもこの状態が弾性保持手段によって弾性的に保持され、突起が受枠部に下方から当接することで弾性保持手段の弾性が解除されて、付勢手段によってフック部が解除姿勢となる方向へ支軸回りに回動する。
【００２９】
上記のような施錠装置は、共同電線溝、あるいは通信線、上下水道、ガス管等の地下埋設物用構造物の蓋体に用いることが可能である。また、上記のような施錠装置を有する蓋体は、他の蓋体と組合わされて使用されることが好ましく、他の蓋体の施錠装置として、シリンダ錠等を用いた蓋体が考えられる。このような蓋体との組合わせにより、全体として低コストの蓋体群となり、あるいは低コストの蓋体群付きの構造物となる。
【発明の効果】
【００３０】
本発明の施錠装置によれば、蓋体を受枠部に上方から載置する際にフック部が受枠部に当接することで他方向に支軸回りに回動し、受枠部に蓋体を載置した状態では受枠部から外れてその自重により支軸回りに回動して、フック部が受枠部に下方から当接し得る施錠姿勢となり、蓋体を受枠部から持上げて取外すことができなくなから、簡単な構成で施錠装置を構成することができ、したがって、高価なシリンダ錠を用いることなく、メンテナンス費用の増加を抑えることが可能になる。
【発明を実施するための最良の形態】
【００３１】
以下、本発明の実施形態に係る蓋体の施錠装置を、共同電線溝（以下、「共同溝」という）の施錠装置を例に、図面に基づいて説明する。図１は共同溝を蓋体で覆った状態の蓋体の使用状態平面図、図２はその一部拡大平面図、図３は蓋体を受枠部材に載置する途中を示す要部拡大断面図、図４はフック体の施錠姿勢を示す拡大断面図、図５はフック体を解除姿勢として蓋体を取外す途中を示す断面図、図６は蓋体が受枠部材から外れた状態の断面図、図７は施錠装置の構造を示す説明図である。
【００３２】
これらの図に示すように、共同溝１の側壁２を用いて長方形の開口を形成するよう受枠部３が設けられており、受枠部３は複数の受枠部材４の組合わせからなっている。
【００３３】
各受枠部材４は、下側の取付け板部５と、取付け板部５から一体に立設される縦壁部６とを有し、縦壁部６の高さ方向途中で受枠部材４の対向側で横方向（水平方向内方）に突出するフレーム状の係止条部（蓋掛かり）７が一体に形成されている。係止条部７は縦断面が矩形に形成されている。縦壁部６において、係止条部７より上の部分６ａと後述の上フレーム部２１の高さが等しく設定されている。
【００３４】
共同溝１は、大きさの異なる複数枚・複数種の蓋体１０,１１,１２によって覆われる。施錠装置１５は、複数種の蓋体１０,１１,１２のうち特定のものに設けられる。この実施形態では、施錠装置１５を設けた蓋体１０と、施錠装置として従来から用いられているシリンダ錠１６を用いた蓋体１１とがあり、これらを組合わせ、また異なる面積や、異なる材質の蓋体１０,１１,１２の組合わせによって共同溝１を隙間なく覆っている。
【００３５】
蓋体１０,１１の本体部１７は、例えばダクタイル鋳鉄から一体に製造されるもので、蓋体１２の本体部１９は例えば鉄筋コンクリート製である。例えば図１において、Ｄ１−Ｄ２の領域では、共同溝１は三種類の蓋体１０,１１,１２で覆われており、シリンダ錠１６を用いた蓋体１１は一体、施錠装置１５を設けた蓋体１０,１２は三体であり、そのうち蓋体１２が一体で、蓋体１０が二体である。これら蓋体１０,１１,１２の使用方法は、蓋体１０,１２を蓋体１１の装着用スペースを残して受枠部３に装着した後、蓋体１１をその装着用スペースに装着し、シリンダ錠１６を施錠するようにする。なお、シリンダ錠１６を施錠・解錠する構成の蓋体１１については従来のものと変更ないので、その説明の詳細を省略する。
【００３６】
また、蓋体１０,１１,１２を受枠部３から取外すには、先ず蓋体１１のシリンダ錠１６を解錠して蓋体１１を受枠部３から取外し、蓋体１１を取外した部分から作業者が共同溝１に入って、蓋体１０,１２の施錠装置１５を解錠することで蓋体１０,１２を受枠部３から取外すようにする。
【００３７】
次に、施錠装置１５を設けた蓋体１０,１２の構成を詳述する。施錠装置１５の構成は、蓋体１０,１２のサイズ等で異なるだけで、基本的構成は同一なので、図１のＤ１−Ｄ２領域の蓋体１０を代表して説明する。
【００３８】
図１および図２に示すように、蓋体１０は本体部１７と施錠装置１５とを有する。蓋体１０の本体部１７は、平面視して一方に長い長方形の平板状に形成されており、図４〜図６に示すように、その表面（上面）１８に格子状の補強リブ２０が形成されている。本体部１７の周囲四辺の表面に、斜め上方に傾斜する上フレーム部２１が形成されている。
【００３９】
本体部１７の裏面２２の周囲四辺に、下方に垂下して受枠部材４の係止条部７の上面７ｂに載置される下フレーム部２３が形成されている。本体部１７の短手方向Ａ中心で、且つ長手方向Ｂ外方の両側が低くなる段部２５が形成されて、段部２５の中心に平面視矩形の開口２６が形成されている。段部２５の裏面に本体部１７とは別体の平板２７が開口２６を塞ぐよう固定されている。
【００４０】
次に、施錠装置１５の構成を説明する。施錠装置１５は、蓋体１０の裏側の長手方向Ｂ両側に設けられており、本体部１７の前記開口２６部に設けられている。施錠装置１５は開口２６を塞ぐよう本体部１７に固着される前記平板２７（取付けプレート）を有し、この平板２７の下面（裏面）に施錠部３１が設けられたものである。施錠部３１は、平板２７の下面から下方に一体に垂下される短手方向Ａに一対で平板状の脚部３２,３２を有する。脚部３２,３２それぞれは側面視してわずかに下方が狭幅の矩形に形成されている。脚部３２,３２それぞれの上下方向途中で長手方向Ｂ外側寄りに、貫通孔３３,３３が形成されている。これら貫通孔３３,３３それぞれにカラー３４,３４を介して杆状の支軸３５,３５が回転自在に挿通されている。
【００４１】
図７（ａ），（ｂ）に示すように、支軸３５,３５はそれぞれ別体で、その軸方向端面３５ａ,３５ａどうしは離間しており、支軸３５,３５における脚部３２,３２の対向側には、それぞれ平座金３６,３６、六角底ナット３７,３７が取付けられている。
【００４２】
支軸３５,３５における脚部３２,３２の対向側にフック体４０が両持ちの形態で支持されている。換言すれば、支軸３５,３５における脚部３２,３２の対向側がフック体４０の両側からそれぞれ螺合して一体化されている。すなわち、支軸３５,３５の回動（回転）に伴ってフック体４０も支軸３５,３５回りに回動することになる構成である。支軸３５,３５それぞれの延長上（脚部３２,３２から離れる側）の端部には湾曲した湾曲部４１,４１がそれぞれ形成されている。この湾曲部４１,４１それぞれは、長手方向Ｂ外側に向けて傾斜しており、フック体４０の回動操作部として用いられる。
【００４３】
フック体４０は、ストッパ４３の位置とで関係付けられる重量バランスによって、施錠姿勢Ｘと解除姿勢Ｙとに切替え可能な構成となっている。ストッパ４３は脚部３２,３２の対向側面４４,４４間で、対向側面４４,４４間の下寄り位置に亙るようにその両端が支持固定されている。
【００４４】
ストッパ４３の断面形状は「くの字形状」をした一体物として形成されている。その長手方向Ｂ外側の上下位置に、それぞれストッパ面４５,４６が形成されている。これらストッパ面４５,４６はそれぞれ上下方向に沿う平坦面である。なお、この実施形態では、下側のストッパ面４５,４６が上側のストッパ面４５,４６に比べてわずかに前方（長手方向Ｂ外側）に突出している。
【００４５】
上側のストッパ面４５は、フック体４０のフック部４８が上側のストッパ面４５に当接するまで突起（以下「バランサ」という）５０の付勢に抗して他方向へ回動させると、支軸３５,３５の上下方向の径方向Ｄを越えて他方向側に至らすことを許容する位置に設定されている。下側のストッパ面４６は、バランサ５０を、支軸３５,３５の上下方向の径方向Ｄを越えて一方向側に至らせることを許容する位置に設定されている。
【００４６】
フック部４８が上側のストッパ面４５に当接するまで、バランサ５０の付勢に抗して他方向へ回動させると、フック部４８による支軸３５,３５回りの他方向への回転力（モーメント）が、バランサ５０の付勢による支軸３５,３５回りの一方向への回転力に比べて大きくなるように設定されている。
【００４７】
ストッパ４３は一体物として形成しなくてもよく、フック体４０を施錠姿勢Ｘまたは解除姿勢Ｙに重量バランスによって保持できれば、別体としてそれぞれにストッパ面４５,４６を形成するようにしてもよい。
【００４８】
フック体４０は筒状の胴体４７と、フック部４８と、バランサ５０とを備える。胴体４７が前記支軸３５,３５によって支持されており、フック部４８と、バランサ５０とはそれぞれ胴体４７の周方向途中から支軸３５,３５の径方向外側に向けて突出するよう胴体４７に一体に形成されている。フック部４８と、バランサ５０とは共に板状に形成されている。バランサ５０は、フック部４８を支軸３５,３５（軸心）回り一方向に付勢する機能を有している。
【００４９】
この実施形態では、フック部４８は胴体４７の長さ方向全域に亙って形成されている。バランサ５０は胴体４７の長さ方向中心寄りに形成されるとともに、フック部４８に比べて短く形成されている。
【００５０】
フック部４８とバランサ５０とは周方向に所定角度θだけ位置ずれして配置されている。この所定角度θと、ストッパ面４５,４６の位置との組合わせによってフック部４８は、バランスによって施錠姿勢Ｘと解除姿勢Ｙとを保持できるようになっている。
【００５１】
なお、図３（ａ）に示すように、蓋体１０を係止条部７に上方から載置する前の状態では、バランサ５０によってフック部４８は支軸３５,３５回りに一方向に回動して下側のストッパ面４６にバランサ５０の先端隅部（角部）５０ａが当接している。このフック体４０（フック部４８）の姿勢を基準姿勢とすると、施錠姿勢Ｘはこの基準姿勢と同一の姿勢となる。また、解除姿勢Ｙとは、フック部４８が上側のストッパ面４５に当接するまで支軸３５,３５回り他方向に回動した状態をいう。
【００５２】
図４に示すように、フック部４８の回動中心からフック部４８の先端４８ｂまでの長さＬ１と、フック部４８の回動中心から前記係止条部（蓋掛かり）７の内方面７ｃまでの距離Ｌ２との関係として、蓋体１０を係止条部７に上方から載置する際に、支軸３５,３５の上下方向の径方向から支軸３５,３５回り他方向に回動する際、支軸３５,３５における上下に沿う径方向から支軸３５,３５回り他方側に至らないよう設定されている。
【００５３】
フック部４８もバランサ５０も、ともに所定の厚みｔ１,ｔ２を有している。フック部４８とバランサ５０は側面視して二股状になっており、前記所定角度θとして、フック部４８とバランサ５０の周方向対向面５１,５２間の周方向距離が係止条部７の厚みｔ３に比べてわずかに大きくなるよう設定されている。この構成により、蓋体１０を係止条部７に上方から載置する際も、蓋体１０を係止条部７から取外すべく上方に持上げる際も、フック体４０のフック部４８とバランサ５０とが、係止条部７を跨ぐ構成となっている。その際、フック部４８とバランサ５０の対向面５１,５２間の周方向距離が係止条部７の厚みｔ３に比べてわずかに大きくなるよう設定されていることで、余裕をもって跨ぐことができる。
【００５４】
また、蓋体１０を係止条部７に上方から載置し終えた状態では、フック体４０は施錠姿勢Ｘとなるが、この状態で、係止条部７と、フック体４０との間には、フック部４８を他方向に回動させるだけのスペースＳが確保されている。換言すれば、係止条部７の下面７ａ（平坦面である）とフック体４０の間に該スペースＳが確保されている。なおフック部４８の一方側隅辺４８ｃは長さ方向全域に亙って円弧状に形成されている。
【００５５】
上記構成において、蓋体１０を係止条部７に設置する際の動作を、フック体４０の動作を中心に説明する。蓋体１０を係止条部７に設置する前には、湾曲部４１を支軸３５,３５回りに回動させてフック体４０のバランサ５０が下側のストッパ面４６に当接した施錠姿勢Ｘ（基準姿勢）としておく。この姿勢では、フック部４８の上面４８ａ（平坦面である）は、略水平となっている。
【００５６】
開口に蓋体１０を上下方向で位置合わせして蓋体１０を下降させると、フック部４８が係止条部７の上面７ｂ（平坦面である）に当る。さらに蓋体１０を下降させると、フック部４８は係止条部７に押圧されて係止条部７を回避するよう支軸３５,３５回りの他方向へ回動する。このときフック部４８は係止条部７の上面７ｂから内方面７ｃ（上下方向の平坦面である）に当接し続ける。しかしながら、フック部４８の径方向長さＬ１と、フック部４８の回動中心から係止条部７までの距離Ｌ２との関係として、蓋体１０を係止条部７に上方から載置する際に、支軸３５,３５の上下方向の径方向から支軸３５,３５回り他方向に回動する際、支軸３５,３５における上下に沿う径方向から支軸３５,３５回り他方側に至らないよう設定されているから、フック体４０のフック部４８が上側のストッパ面４５に当接することはない。すなわち、蓋体１０の下降途中でフック体４０が解除姿勢Ｙとなることはないようバランサ５０によって支軸３５,３５回りの一方向に付勢されて、バランスがとられている。
【００５７】
また、フック部４８が係止条部７の上面７ｂに当ってフック体４０が支軸３５,３５回り他方向に回動を開始すれば、バランサ５０も同方向へ回動を開始するが、フック部４８とバランサ５０は二股状になっており、所定角度θとして、フック部４８とバランサ５０の対向面５１,５２間の周方向距離が係止条部７の厚みｔ３に比べてわずかに大きくなるよう設定されているから、フック体４０のフック部４８とバランサ５０とが、係止条部７を跨ぐようになって、蓋体１０の下降に支障をきたすことはない。
【００５８】
さらに蓋体１０を下降させると、フック部４８が係止条部７から外れる。そうすると、バランサ５０の重みにより、フック体４０全体が再び支軸３５,３５回りに一方向に回動して、フック部４８の上面４８ａが略水平となって、且つバランサ５０が下側のストッパ面４６に当接した施錠姿勢Ｘ（基準姿勢でもある）に復帰する。また、蓋体１０を係止条部７に載置した際には、蓋体１０の下フレーム部２３の下面２３ａが係止条部７ｂに当接した状態である。
【００５９】
この時点では、フック部４８の上面４８ａと係止条部７の下面７ａとの間には所定の距離が保持されるようになっている。この所定の距離は、フック体４０を、次に解除姿勢Ｙとする際に必要なスペースＳに対応する長さとなっている。
【００６０】
上記のようにして施錠装置１５を設けた蓋体１０,１２を設置して、シリンダ錠１６を用いた蓋体１１を設置してシリンダ錠１６をロックすれば、開口を塞ぐことができる。
【００６１】
次にメンテナンス等の作業のために受枠部３の開口を開ける場合、先ず、シリンダ錠１６を用いた蓋体１１のシリンダ錠１６を解除して、蓋体１１を取外し、続いて、蓋体１０（１２）の取外しとなる。蓋体１０の取外し作業について、フック体４０の動きを中心に説明する。
【００６２】
この場合、図５（ｂ）フック部４８を解除姿勢Ｙとする必要がある。すなわち、湾曲部４１,４１を例えば作業者が手で把持して支軸３５,３５回りにフック体４０のフック部４８が上側のストッパ面４５に当接するまで、バランサ５０の付勢に抗して他方向へ回動させる。
【００６３】
上側のストッパ面４５は、フック体４０のフック部４８が上側のストッパ面４５に当接するまでバランサ５０の付勢に抗して他方向へ回動させると、フック部４８による支軸３５,３５回りの他方向への回転力（モーメント）が、バランサ５０の付勢による支軸３５,３５回りの一方向への回転力に比べて大きくなるから、フック体４０はそのフック部４８が上側のストッパ面４５に当接した姿勢、すなわち解除姿勢Ｙが保持されることになる。
【００６４】
この状態から蓋体１０をさらに上方へ持上げると、バランサ５０の別の先端隅部（角部）５０ｂが係止条部７の下面７ａに当接し、さらに蓋体１０を上方に持上げると、バランサ５０が係止条部７の下面７ａによって押圧されて、フック体４０が一方向への回動力を受けることになる。そして、フック部４８はバランサ５０によって付勢されているから、少なくとも、フック部４８が支軸３５,３５の上下方向の径方向Ｄを越えて一方向側に至ると、今度はバランサ５０の付勢によってフック体４０全体が一方向側に回動する。このとき、フック部４８（その円弧状に形成されているフック部４８の一方側隅辺）が、係止
条部７の内方面７ｃに当接する。
【００６５】
さらに蓋体１０を持上げると、フック部４８はバランサ５０によって一方向への付勢力を受けているから、フック体４０のフック部４８とバランサ５０が係止条部７（その内方面７ｃ）を跨ぐようにして一方向へ回動することになる。さらに蓋体１０を持上げると、フック部４８が係止条部７から外れ、そうすると、バランサ５０が下側のストッパ面４６に当ってフック体４０が基準姿勢に復帰することになる。以上のような動作によって、蓋体１０を係止条部７から上方に、容易に取外すことができる。そして、蓋体１０を係止条部７から上方に取外す際は、フック体４０は重量バランスによって解除姿勢Ｙを保持しているから、作業者が解除姿勢Ｙを強制的に保持することなく蓋体１０を取外すことが可能となり、その作業が容易となる。
【００６６】
なお、フック体４０を施錠姿勢Ｘに付勢するために、上記実施形態ではバランサ５０を用いたが、これに限定されるものではない。例えば図８に示すように、バランサを用いず（重量バランスを利用するものではなく）、バネ６０や合成ゴム等に代表される弾性体を用いてフック部４８を施錠姿勢Ｘに弾性的に付勢する構成であってもよい。バネ６０は、例えば、フック部４８と脚部３２の間に係止させる。そしてフック部４８を支軸３５回りの一方向の回動範囲を規制するストッパ６１を、脚部３２に設けて、蓋体１０を係止条部７に載置する際にはバネ６０の弾性に抗して下方へ蓋体１０を押圧する。あるいは、蓋体１０の自重によりバネ６０が支軸３５回りの他方向へ回動するようにする（仮想線で示している）。
【００６７】
蓋体１０を係止条部７に載置すれば、バネ６０の弾性（引張力）により、フック部４８はストッパ６１に当接して施錠姿勢となる。蓋体１０を取外すときは、バネ６０の弾性力に抗してフック部４８を支軸３５回りに他方向に回動させて係止条部７から回避させた解除姿勢としてこれを保持し、蓋体１０を持上げるようにすれば、蓋体１０を取外すことができる。しかしながら、この場合、蓋体１０の取外しの際には、バネ６０の付勢力に抗して、作業者がフック部４８を解除姿勢に保持しておく必要があるから、その分だけ、作業がしにくくなる。
【００６８】
そこで、作業者がフック部４８を解除姿勢に保持しておく必要がないように、例えばフック部４８と、脚部３２との間に、解除姿勢保持手段として例えば適宜の係合手段（係合部と被係合部）を設けておくことにより、この保持手段によってフック部４８を解除姿勢に保持することができるから、作業者自らがフック部４８を解除姿勢に保持しておく必要がなくなる。したがって、その分だけ蓋体１０の取外し作業が容易となる。
【００６９】
また、上記実施形態では、バランサ５０をフック部４８とは別に設けた構成としたが、これに限定されるものではない。すなわち、バランサという別物を設けることなくフック部自体の重量と、ストッパ（ストッパ面）のみでフック体にバランスを持たせて施錠装置の施錠、解除を上記と同様に行うようにすることも可能である。
【００７０】
さらに別の実施形態を、図９ないし図１３に基づいて説明する。図９はフック体４０が施錠姿勢Ｘとなっている状態の要部斜視図、図１０は同じく要部斜視図、図１１は同じく平面図、図１２は同じく正面図、図１３は同じく断面図である。
【００７１】
この実施形態における施錠装置１５は、図１ないし図７で示した形状のフック体４０を用いるものであるが、フック体４０を、杆状の支軸３５,３５回りに付勢する付勢手段としてのコイルバネ８０を設けたものである。
【００７２】
図９および図１０に示すように、コイルバネ８０は、支持部８１と掛巻き部８２と係止部８３とから線材によって形成されている。すなわち、支持部８１は、一対で平板状の脚部３２,３２のうち一方の脚部３２の外側面から前面および内面に沿うよう平面視してコ字形に折曲されている。掛巻き部８２は支持部８１の端部に一体的に形成されて一方の支軸３５に巻かれている。係止部８３は、掛巻き部８２に一体的に形成されてフック部４８の背面、他方側の側面、前面に沿うように形成されている。このコイルバネ８０の構成により、コイルバネ８０は、フック体４０を支軸３５,３５回りに一方向に付勢している。
【００７３】
図１１に示すように、支軸３５,３５それぞれの延長上の端部には湾曲した湾曲部４１,４１がそれぞれ形成されている。この湾曲部４１,４１それぞれは、長手方向Ｂ外側に向けて傾斜しており、フック体４０の回動操作部として用いられる。
【００７４】
図９ないし図１３に示すように、フック体４０は支軸３５,３５から径方向へ突出する方向に設けられた突起５０をフック部４８とは別に有している。突起５０は、フック部４８に対して支軸３５，３５の周方向に所定角度だけ離間して配置されている。フック部４８と突起５０は側面視して二股状になっており、所定角度として、フック部４８と突起５０の周方向対向面５１,５２間の周方向距離が係止条部７の厚みｔ３に比べてわずかに大きくなるよう設定されている。
【００７５】
湾曲部４１,４１を把持して支軸３５，３５を操作することによって、フック体４０を支軸３５，３５回りに他方向に回動させた際に、突起５０が受枠部材４の係止条部７に下方から当接可能な位置となる状態にフック体４０を弾性的に保持する弾性保持手段が設けられている。
【００７６】
弾性保持手段は、本体部１７とは別体の平板２７の裏面に、ほぼ支軸３５，３５どうしの間の中間部に向けて下傾斜する板バネ８５を有する。この板バネ８５の基端部８６は、平板２７の裏面に、下方に向けて突出された取付け部８７の下平面８８にネジ９０で固定されている。板バネ８５の本体９１が、前述のように支軸３５，３５どうしの間の中間部に向けて下傾斜している。
【００７７】
本体９１の先端部９２の位置は、フック体４０をコイルバネ８０の付勢方向と反対の方向に支軸３５，３５回りに回動させた際にフック部４８の先端部と干渉することで基端部８６回りに撓んで、さらにフック体４０を回動させることで弾性復元してフック部４８の前面と係止するようになっている。なお、フック部４８の前面には、本体９１の先端部９２が周方向で係止する凹部９３が形成されている。
【００７８】
ストッパ４３は脚部３２,３２の対向側面４４,４４間で、対向側面４４,４４間の下寄り位置に亙るようにその両端が支持固定されている。この実施形態におけるストッパ４３は、断面矩形に形成されており、前側上下の隅部が面取り４３ａとされていて、下側の面取り４３ａに突起５０が当接可能となっている。このストッパ４３によって、コイルバネ８０によってフック体４０が支軸３５，３５回りに一方向に付勢されていても、フック体４０は突起５０がストッパ４３に周方向から当接した時点でそれ以上回動しないよう構成されている。
他の構成は、上記図１ないし図７で示した実施形態と同様であるので、同一の符号を付してその説明を省略する。
【００７９】
上記構成の施錠装置１５において、フック体４０はコイルバネ８０の弾性によって一方向に付勢されて、蓋体１０を閉じた状態では、フック部４８が係止条部７に下方から当接可能で突起５０がストッパ４３に当接している施錠姿勢Ｘとなっている（図１３の仮想線で示す）。
【００８０】
ここで、上記施錠姿勢Ｘから施錠装置１５のロックを解除して、蓋体１０を受枠部３から取外す場合を説明する。先ず、湾曲部４１,４１を例えば作業者が手で把持して支軸３５,３５回りにフック体４０を他方向（図１３の時計方向）に回動させる。
【００８１】
そうすると、フック部４８が板バネ８５の本体９１の先端部９２に周方向から当接し、板バネ８５の弾性に抗してさらに支軸３５,３５を回動させることにより板バネ８５が基端部８６回りに撓んで板バネ８５の本体９１の先端部９２がフック部４８を乗越えるから、支軸３５,３５の回動操作を止める。
【００８２】
そしてフック体４０はコイルバネ８０の弾性によって一方向に付勢されているから、支軸３５,３５の回動操作を止めると、板バネ８５の本体９１の先端部９２がフック部４８の前面の凹部９３と周方向で係止することになって、突起５０が係止条部７にその下方から下面７ａに当接可能に位置する。
この実施形態におけるフック体４０の解除姿勢Ｙとは、板バネ８５の本体９１の先端部９２がフック部４８の前面の凹部９３と周方向で係止した状態である。
【００８３】
このようにフック体４０を解除姿勢Ｙとして蓋体１０を持上げると、突起５０が係止条部７の下面７ａから当接する。さらに蓋体１０を、板バネ８５の弾性に抗して上動させるようにすると突起５０が係止条部７の下面７ａに押圧されて支軸３５,３５回りの一方向の回動力を得て、板バネ８５が撓んでフック部４８との係止が解除され、蓋体１０を上動させたことによりフック体４０（フック部４８）もその分だけ上動しているから、（図３（ｂ）に示す場合と同様に）フック部４８が係止条部７の内方面７ｃに当接し、さらに蓋体１０を上動させることにより、（図３（ａ）に示す場合と同様に）フック部４８が係止条部７の上面７ｂの上側に位置することになって、係止条部７に当接ないし係止するものがなくなるから、蓋体１０を受枠部３から取外すことができる。
【００８４】
また、蓋体１０を受枠部３から取外したら、フック体４０はコイルバネ８０によって支軸３５，３５回りに一方向に付勢されているから、施錠姿勢Ｘとなっている。
【００８５】
再び蓋体１０を受枠部３に取付ける場合は、蓋体１０を受枠部３の開口に蓋体１０を上下方向で位置合わせして下降させると、施錠姿勢Ｘとなっているフック体４０のフック部４８が係止条部７の上面７ｂに押圧されてコイルバネ８０の弾性に抗してフック体４０が支軸３５，３５回りに他方向に回動し、フック部４８が係止条部７の内方面７ｃに当接しつつ下動し、フック部４８と係止条部７との当接が解除されるまで蓋体１０が下動すると、フック体４０はコイルバネ８０の弾性で付勢されているから、再び施錠姿勢Ｘとなり、蓋体１０を受枠部３から取外すことができなくなる。
【００８６】
以上のように、この実施形態では、コイルバネ８０を設けてフック体８０を施錠姿勢Ｘに保持することができ、しかも板バネ８５によってフック体８０を解除姿勢Ｙに保持することができるから、蓋体１０の取付けおよび取外し作業がし易い。
【図面の簡単な説明】
【００８７】
【図１】本発明の実施形態を示す共同溝を蓋体で覆った状態の蓋体の使用状態平面図
【図２】同じくその一部拡大平面図
【図３】同じく蓋体を受枠部材に載置する途中を示す要部拡大断面図で、（ａ）は蓋体を開口に位置合わせした状態の断面図、（ｂ）はフック体が他方向へ回動した状態の断面図
【図４】同じくフック体の施錠姿勢を示す拡大断面図
【図５】同じくフック体を解除姿勢として蓋体を取外す途中を示す断面図で、（ａ）はフック体を解除姿勢とした断面図、（ｂ）はバランサが係止条部に当接した状態の断面図、（ｃ）はフック部とバランサとが係止条部を跨ぐ状態の断面図
【図６】同じく蓋体が受枠部材から外れた状態の断面図
【図７】同じく施錠装置の構造を示す説明図で、（ａ）は平面図、（ｂ）は正面図
【図８】別の実施形態を示す施錠装置の概略図
【図９】さらに別の実施形態を示す施錠装置のフック体が施錠姿勢となっている状態の要部斜視図
【図１０】同じくフック体が解除姿勢となっている状態の要部斜視図
【図１１】同じく平面図
【図１２】同じく正面図
【図１３】同じく断面図
【符号の説明】
【００８８】
１…共同溝、２…側壁、３…受枠部、４…受枠部材、５…取付け板部、６…縦壁部、７…係止条部（蓋掛かり）、１０,１１,１２…蓋体、１５…施錠装置、１６…シリンダ錠、１７…本体部、２６…開口、２７…平板（取付けプレート）、３１…施錠部、３２,３２…脚部、３３,３３…貫通孔、３５,３５…支軸、４０…フック体、４１,４１…湾曲部、４３…ストッパ、４５,４６…ストッパ面、４７…胴体、４８…フック部、５０…バランサ、Ｘ…施錠姿勢、Ｙ…解除姿勢
【図１】
0004451462.tif 000002
【図２】
0004451462.tif 000003
【図３】
0004451462.tif 000004
【図４】
0004451462.tif 000005
【図５】
0004451462.tif 000006
【図６】
0004451462.tif 000007
【図７】
0004451462.tif 000008
【図８】
0004451462.tif 000009
【図９】
0004451462.tif 000010
【図１０】
0004451462.tif 000011
【図１１】
0004451462.tif 000012
【図１２】
0004451462.tif 000013
【図１３】
0004451462.tif 000014